(57)【要約】【課題】デジタルＣＡＴＶ再送信システムにおいて、デジタル放送を受信しＣＡＴＶに向け再送信するトランスミッタの異常を検出し、自動的に予備系に切り替え、デジタル放送の再送信の停波時間を短くすること。【解決手段】本発明は、デジタル放送の再送信の中断時間を短くするために、再送信信号処理を行う運用系のトランスミッタとは別に待機状態にある予備系のトランスミッタを有し、システム管理装置は運用系のトランスミッタの異常を検出すると、前記異常トランスミッタの動作を停止させるとともに、前記異常トランスミッタの動作パラメータを予備系トランスミッタに設定し、予備系トランスミッタを運用系トランスミッタとして運用するものである。これにより、トランスミッタ異常によるデジタル放送再送信の停波時間を短くすることを最も主要な特徴とする。【選択図】図１
2006191257.tif 000002
【特許請求の範囲】
【請求項１】
デジタル放送を受信し、前記デジタル放送信号を復調後ＣＡＴＶシステムに適した番組多重情報に変換するとともに６４ＱＡＭ変調してＣＡＴＶ伝送路へ送出するデジタルＣＡＴＶ再送信システムにおいて、ヘッドエンドはこれらの信号処理を行うトランスミッタと前記トランスミッタを統合管理するシステム管理装置からなり、前記信号処理を行う運用系のトランスミッタとは別に待機状態にある予備系のトランスミッタを有し、システム管理装置は運用系のトランスミッタの異常を検出すると、前記異常トランスミッタの動作を停止させるとともに、前記異常トランスミッタの動作パラメータを予備系トランスミッタに設定し、予備系トランスミッタを運用系トランスミッタとして動作させることを特徴とするデジタルＣＡＴＶ再送信システム。
【請求項２】
前記システム管理装置は管理対象のトランスミッタの状態として「運用」「予備」の他に「故障」という状態を識別し、「故障」中のトランスミッタに対しては状態監視の対象外とし、復帰時の操作により「予備」状態に復帰することを特徴とする請求項１に記載のデジタルＣＡＴＶ再送信システム。
【請求項３】
前記システム管理装置は管理対象のトランスミッタから通知される異常の種別に応じて、予備系トランスミッタへの切替の有無または再起動の有無を個別に設定出来ることを特徴とする請求項１および２に記載のデジタルＣＡＴＶ再送信システム。
【請求項４】
前記システム管理装置は管理対象のトランスミッタに対し、動作パラメータを設定するさいに、上記自動切替機能を非動作とすることを特徴とする請求項１から３に記載のデジタルＣＡＴＶ再送信システム。
【請求項５】
前記システム管理装置は予備系のトランスミッタに故障したトランスミッタの動作パラメータを設定する際に、故障したトランスミッタが使用していた出力周波数と異なる別の未使用の出力周波数を予備系トランスミッタに設定し、さらに受信機に対しては周波数スキャンの告知信号を出力することを特徴とする請求項１に記載のデジタルＣＡＴＶ再送信システム。
【請求項６】
デジタル放送を受信し、復調および変調後に再送信する１または複数のトランスミッタと、前記トランスミッタ故障時に代用される１または複数の予備用トランスミッタと、前記トランスミッタおよび予備用トランスミッタの運用を制御するシステム管理装置を備えたＣＡＴＶ再送信システムであって、
前記システム管理装置は、前記トランスミッタの故障検知に伴い、故障したトランスミッタに対して運用停止を指示し、故障したトランスミッタのパラメータを前記予備用トランスミッタに設定することでトランスミッタの切替えを行うことを特徴とするＣＡＴＶ再送信システム。
【請求項７】
デジタル放送を受信し、復調および変調後に再送信する１または複数のトランスミッタと、前記トランスミッタ故障時に代用される１または複数の予備用トランスミッタと、前記トランスミッタおよび予備用トランスミッタの運用を制御するシステム管理装置を備えたＣＡＴＶ再送信システムであって、
前記システム管理装置は、前記トランスミッタの故障検知に伴い、故障したトランスミッタに対して運用停止を指示し、この指示に対する応答がない場合は故障したトランスミッタの再送信周波数を他のトランスミッタが利用していない空き周波数に変更して前記予備用トランスミッタから再送信することでトランスミッタの切替えを行うことを特徴とするＣＡＴＶ再送信システム。
【請求項８】
デジタル放送を受信し、復調および変調後に再送信する１または複数のトランスミッタと、前記トランスミッタ故障時に代用される１または複数の予備用トランスミッタと、前記トランスミッタおよび予備用トランスミッタの運用を制御するシステム管理装置を備えたＣＡＴＶ再送信システムであって、
前記システム管理装置は、前記トランスミッタの故障検知に伴い、故障したトランスミッタに対して運用停止を指示し、この指示に対する応答がない場合は故障したトランスミッタの再送信周波数を他のトランスミッタが利用していない空き周波数に変更して前記予備用トランスミッタから再送信することでトランスミッタの切替えを行うとともに、この再送信したデジタル放送を受信する受信機に対して周波数スキャン指示を出すことを特徴とするＣＡＴＶ再送信システム。
【請求項９】
さらに、前記トランスミッタの状態を監視し、トランスミッタの機能に異常を発見した場合、前記システム管理装置に故障の発生を通知する監視部を備え、
前記システム管理装置は、前記監視部からの通知に基づいて前記トランスミッタの故障を検知することを特徴とする請求項６〜８のいずれかに記載のＣＡＴＶ再送信システム。
【請求項１０】
さらに、前記トランスミッタの状態を監視し、トランスミッタの機能に異常を発見した場合、故障の原因を特定して前記システム管理装置に通知する監視部を備え、
前記システム管理装置は、前記監視部から通知された故障原因に応じて前記トランスミッタから予備用トランスミッタへの切替え、故障したトランスミッタの再起動、システム管理装置における警告表示のいずれかを選択することを特徴とする請求項６〜８のいずれかに記載のＣＡＴＶ再送信システム。
【発明の詳細な説明】
【技術分野】
【０００１】
本発明は、デジタル放送を受信し、ＣＡＴＶ用に信号を変換して送出するデジタルＣＡＴＶ再送信システムに関するものである。
【背景技術】
【０００２】
放送衛星によるデジタル放送や地上デジタル放送など放送のデジタル化がすすんでいるが、ＣＡＴＶにおいてもこれらのデジタル放送を高画質、高機能のまま再送信できるトランスモジュレーション方式が主流となっている（例えば、非特許文献１を参照）。
【０００３】
この時、ＣＡＴＶ局ではデジタル放送を受信してＣＡＴＶ用に変換して再送信するトランスミッタを使用するが、このトランスミッタは基本的にはデジタル放送の一搬送波ごとに１台必要であり、さらに２４時間連続運転となる。従って、信頼性が重要であり、万一トランスミッタに故障が発生した場合は、出来るだけ速やかに復旧させる必要がある。
【０００４】
しかし、トランスミッタを動作させるためには受信周波数や変換情報などを個別に設定する必要があり、速やかな復旧の妨げとなっていた。
【０００５】
また、場合により受信機（ＳＴＢ）にも条件が変わったことを通知する必要もあった。
【非特許文献１】日本ケーブルラボ「地上デジタルテレビジョン放送トランスモジュレーション運用仕様」ＪＣＬ  ＳＰＥＣ−００７
【発明の開示】
【発明が解決しようとする課題】
【０００６】
本発明が解決しようとする問題点は、デジタルＣＡＴＶ再送信システムにおいて、機器異常によりデジタル放送の再送信が中断する時間を短時間（例えば数秒程度以下）に抑えることができない点である。
【課題を解決するための手段】
【０００７】
本発明は、デジタル放送の再送信の中断時間を短くするために、再送信信号処理を行う運用系のトランスミッタとは別に待機状態にある予備系のトランスミッタを有し、システム管理装置は運用系のトランスミッタの異常を検出すると、前記異常トランスミッタの動作を停止させるとともに、前記異常トランスミッタの動作パラメータを予備系トランスミッタに設定し、予備系トランスミッタを運用系トランスミッタとして動作させるものである。
【０００８】
これにより、トランスミッタ異常によるデジタル放送再送信の停波時間を短くすることを最も主要な特徴とする。
【発明の効果】
【０００９】
本発明のデジタルＣＡＴＶ再送信システムでは、システム管理装置がトランスミッタの状態を監視し、異常が発生すれば予備機に自動的に切り替えるので、デジタル放送の再送信の停波時間を短くすることが出来る。
【００１０】
また、トランスミッタから通知される異常の状態に応じて切替動作を設定出来るので、使用者の判断に応じた柔軟な運用が可能となる。
【発明を実施するための最良の形態】
【００１１】
以下、本発明の実施の形態を図に基づいて説明する。
（実施の形態１）
図１は、本発明のデジタルＣＡＴＶ再送信システムの構成図である。デジタルＣＡＴＶシステムは本来図示する以上に詳細な構成からなるが、ここでは本件発明と関係する部分のみ説明し、それ以外の構成要素については概略のみを説明するものとする。
【００１２】
まず衛星や地上波などのデジタル放送をアンテナ１１で受信する。受信した信号は分配器１２で分配され各トランスミッタ１３−１、１３−２、・・・、１３−ｎ、１４に送られる。ここでトランスミッタ１４は予備用のトランスミッタである。
【００１３】
各トランスミッタ１３は、予めシステム管理装置１５により設定された動作パラメータにより動作する。具体的には選局する周波数、デジタルＣＡＴＶシステムに応じた番組多重情報への変換情報、送出する変調周波数などである。
【００１４】
各トランスミッタ１３から送出された再送信信号は混合器１６で周波数多重されＣＡＴＶ伝送路へ送出される。
【００１５】
また、システム管理装置１５は予備用も含むトランスミッタ１３，１４の状態を監視しており、運用系トランスミッタ１３に異常が発生した場合は、予め設定された動作により予備用トランスミッタ１４への動作切替を指示する。
【００１６】
図２はトランスミッタの構成図である。
【００１７】
アンテナ１１で受信したデジタル放送の信号は復調部２１で受信・復調される。復調部２１では送られてきた周波数多重信号の中から監視・制御部２２により指示された周波数の信号を選局し復調する。
【００１８】
復調された信号は変換部２３へ送られる。変換部２３では多重化された番組情報をデコードすると共に、前記番組多重情報をＣＡＴＶ伝送路に再送信するための変換を行う。前記変換を行いＣＡＴＶ用に再構成されたデジタル信号は変調部２４へ送られる。
【００１９】
変調部２４では監視・制御部２２から設定された周波数で変調して信号を出力する。
【００２０】
さらに、監視・制御部２２では、トランスミッタの各構成部の動作状態や入力信号の状態を監視しており、システム管理装置１５からの問い合わせに応じその状態を応答する。具体的な監視項目としては、入力信号レベル、ＡＣ電源動作状態、出力信号レベル、復調部２１、変換部２３、変調部２４の動作状態などである。
【００２１】
次に図１を用いて本発明のデジタルＣＡＴＶ再送信システムの動作について説明する。
【００２２】
システム管理装置１５は各トランスミッタ１３に対して動作パラメータを設定する。このパラメータの設定にあたっては、システム管理装置１５がユーザインターフェースを有しており操作者がキーボードなどから入力する。
【００２３】
システム管理装置１５で入力された動作パラメータはシステム管理装置内に記録されると共に予め決められたフォーマットで各トランスミッタ１３に送られ、各トランスミッタ１３が指示された通りの設定をする。入力されトランスミッタ１３に送られる動作パラメータは、受信周波数、番組配列情報の変換情報、出力周波数などである。
【００２４】
トランスミッタ１３は設定されたパラメータの通り受信、変換、送出処理を行う。
【００２５】
また、システム管理装置１５は予備用トランスミッタ１４と運用系各トランスミッタ１３の動作を監視している。具体的にはネットワークを介してポーリング方式により各トランスミッタの１３，１４の状態を問い合わせている。各トランスミッタ１３から通知される状態としては、多重デバイス異常、変調出力異常、電源異常、ファン異常などである。
【００２６】
さらに、システム管理装置１５はこれらの異常項目毎にどのような動作をするか個別に設定出来る。設定の例を図３に示す。
【００２７】
図３の例では、多重デバイス異常と変調出力異常が検出された時は予備用トランスミッタ１４への切替を、電源異常が検出された時はその異常を通知してきたトランスミッタ１３に対して再起動指示を、ファン異常が検出された時はシステム管理装置１５上に警告メッセージを表示するのみでトランスミッタ１３に対しては特に何も指示しない設定としている。
【００２８】
この設定の時のシステム管理装置１５における監視や切替動作のシーケンスを図４に示す。
【００２９】
図４では説明上、トランスミッタ１３−１が正常、トランスミッタ１３−２が電源異常、トランスミッタ１３−３が多重デバイス異常が発生しているものとする。
【００３０】
（Ｓ１）システム管理装置１５はトランスミッタ１３−１に状態問い合わせを行い前記トランスミッタからは正常であることが応答される。
【００３１】
（Ｓ２）次にトランスミッタ１３−２に状態問い合わせを送るが前記トランスミッタから電源異常の状態が応答されてくる。システム管理装置１５は予め設定された図３に示す動作パターンにより、電源異常を通知してきたトランスミッタに対して再起動信号を送信する必要がある。
【００３２】
（Ｓ３）システム管理装置１５は異常を通知してきたトランスミッタ１３−２に再起動信号を送る。これはトランスミッタから通知されてきた異常状態の場合でも、トランスミッタを再起動することで異常が解消されることがある可能性があるためである。
【００３３】
（Ｓ４）つぎにシステム管理装置１５はトランスミッタ１３−３に問い合わせる。トランスミッタ１３−３からは多重デバイス異常の状態が応答される。この時もシステム管理装置１５は図３に示す予め設定された規則により切替処理を行う。
【００３４】
（Ｓ５）システム管理装置１５は切替処理としてまず異常を通知してきたトランスミッタ１３−３に対してシャットダウン指示を送る。これは異常状態のトランスミッタからの出力信号が他の正常なトランスミッタからの出力信号の妨害となることを防ぐためである。
【００３５】
（Ｓ６）異常状態のトランスミッタ１３−３からシャットダウン応答を受信したシステム管理装置は、予備系トランスミッタ１４に対して異常トランスミッタ１３−３の動作パラメータを設定する。予備系トランスミッタ１４は通知された動作パラメータを設定し１３−３の代わりに動作を開始する。
【００３６】
システム管理装置１５は（Ｓ５）で異常トランスミッタ１３−３にシャットダウン指示を送る。システム管理装置１５は以降このトランスミッタ１３−３を故障状態として認識し状態問い合わせのポーリング対象からはずすことも可能である。これによりポーリング周期を短縮することが出来る。
【００３７】
異常が発生したトランスミッタ１３−３は、前記の通り監視対象から外すので、修理などのためにシステムから除去しても影響はない。修理されたトランスミッタ１３−３をシステムに戻す際はシステム管理装置１５での操作により予備用として登録し、再び監視対象とする。これにより異常トランスミッタが復旧した場合に再度切り戻し処理が不要となり、運用中システムに停波などの影響を与えることなく異常発生前と同様の予備用トランスミッタをそなえたシステムとすることができる。
【００３８】
なお、システム管理装置１５から再起動指示やシャットダウン指示を送っても、トランスミッタの状態により応答が正常に返ってこない場合もある。このような場合、異常トランスミッタは変調出力をＯＮにしたまま異常状態になっている可能性があり、予備用トランスミッタ１４に異常トランスミッタの動作パラメータを設定しても出力周波数が重複し予備用トランスミッタ１４からの出力信号が正しくＳＴＢに届かないことになる。
【００３９】
そこで、システム管理装置１５は予備用トランスミッタ１４に設定する出力周波数として未使用の周波数帯域を設定し予備用トランスミッタ１４の信号が正しくＳＴＢまで届くようにするとともに、ＳＴＢに対して周波数スキャン指示を出しＳＴＢがこの信号を正しく受信出来るようにすることも可能である。
【００４０】
なお、本実施の形態１では予備用トランスミッタ１４が１つだけ備わった場合を例示して説明したが、予備用トランスミッタは複数個備わっていてもよい。これにより、複数のトランスミッタ１３が連続して故障した場合でもデジタル放送の再送信の停波時間を短くすることが可能となる。
（実施の形態２）
本発明の第２の実施形態について図５のシーケンス図で説明する。
【００４１】
第２の実施形態では、トランスミッタから異常が通知された際に自動で切替処理を行うのではなく、操作者が介在して実機の状態を確認してから手動により切替処理を行うものである。
【００４２】
（Ｓ１１）システム管理装置１５はトランスミッタ１３に状態問い合わせを行う。トランスミッタ１３は例えばファン異常などの状態を通知したとする。
【００４３】
（Ｓ１２）システム管理装置１５では異常状態が通知されたため警告メッセージを表示する。この時、パトランプなどの表示装置を使用してもよい。操作者は通知された異常状態を確認後、手動で切替指示をシステム管理装置１５に入力する。
【００４４】
（Ｓ１３）システム管理装置１５では手動切替指示に従い、まず異常トランスミッタ１３にシャットダウン指示を送る。トランスミッタ１３は応答を返してシャットダウン処理を行う。
【００４５】
（Ｓ１４）次にシステム管理装置１５は、予備用トランスミッタ１４に対して異常トランスミッタ１３の動作パラメータを設定し、予備用トランスミッタ１４が応答を返した後、設定されたパラメータで動作することで手動切替が可能となる。
【００４６】
なお、この手動切り替え時において、他のトランスミッタから自動切替を伴う異常通知が上がってくれば、同一の予備用トランスミッタ１４に対して別個に動作パラメータの設定を行うこととなり、動作条件の整合性が取れなくなる。そこで前記（Ｓ１２）〜（Ｓ１４）の手動切り替え時には、システム管理装置１５においては自動切替を非作動とすることにより、データの整合性を確保することが出来る。
【００４７】
上記の通り、本発明の実施の形態では、デジタルＣＡＴＶシステムにデジタル放送の再送信に適用した例を記載したが、これ以外にも、運用系と予備系を有しており監視装置から切替信号を出す幅広いシステムに適用出来る。
【産業上の利用可能性】
【００４８】
本発明にかかるデジタルＣＡＴＶ再送信システムは、異常発生時の停波時間を短くすることが出来るものとして有用である。
【図面の簡単な説明】
【００４９】
【図１】実施の形態１におけるデジタルＣＡＴＶ再送信システムの構成を示した図
【図２】実施の形態１におけるトランスミッタの内部構成を示した図
【図３】実施の形態１におけるシステム管理装置の動作設定例を示した図
【図４】実施の形態１におけるシーケンスを示した図
【図５】実施の形態２におけるシーケンスを示した図
【符号の説明】
【００５０】
１３    トランスミッタ
１４    予備系トランスミッタ
１５    システム管理装置
２１    復調部
２２    監視・制御部
２３    変換部
２４    変調部
【図１】
2006191257.tif 000003
【図２】
2006191257.tif 000004
【図３】
2006191257.tif 000005
【図４】
2006191257.tif 000006
【図５】
2006191257.tif 000007